(57)【要約】【課題】取り付け補助部材のような専用部品を必要とせず、反射枠の着脱が容易にできる照明器具を提供する。【解決手段】照明器具１０は、光源部２００が取り付けられたヒートシンク１００と、爪部２３６と、突起部２３５ａを有する引っ掛け部２３５とを有し、ヒートシンク１００に取り付けられたカバー部２３０と、枠部３００とを備える。枠部３００は、爪部２３６が挿し込まれた第１穴３５０が形成された第１穴形成部３５１と、引っ掛け部２３５の突起部２３５ａが挿し込まれた第２穴３６０が形成されていると共に元の形状に戻ろうとする引っ掛け部２３５の弾性力によって第２穴３６０の周辺が引っ掛け部２３５によって押圧される第２穴形成部３６１とを有し、光源部２００から照射される光の照射角度を制御する。【選択図】図１８
2019200871.tif 000002
【特許請求の範囲】
【請求項１】
光源部が取り付けられたヒートシンクと、
爪部と、突起部を有する引っ掛け部とを有し、前記ヒートシンクに取り付けられたカバー部と、
前記爪部が挿し込まれた第１穴が形成された第１穴形成部と、前記引っ掛け部の前記突起部が挿し込まれた第２穴が形成されていると共に元の形状に戻ろうとする前記引っ掛け部の弾性力によって前記第２穴の周辺が前記引っ掛け部によって押圧される第２穴形成部とを有し、前記光源部から照射される光の照射角度を制御する枠部と、
を備える照明器具。
【請求項２】
前記枠部は、
前記カバー部の前記爪部を前記第１穴形成部の前記第１穴に挿し込むことで前記爪部に前記第１穴形成部を引っ掛けた後に、前記第２穴形成部を前記引っ掛け部に向かって回動可能である請求項１に記載の照明器具。
【請求項３】
前記カバー部は、
樹脂による一体成形品である請求項１または請求項２に記載の照明器具。
【請求項４】
前記枠部は、
樹脂による一体成形品である請求項１から請求項３のいずれか一項に記載の照明器具。
【発明の詳細な説明】
【技術分野】
【０００１】
本発明は、照明器具に関する。
【背景技術】
【０００２】
従来より、ダウンライトのような埋め込み照明器具において、発光部が取り付けられたヒートシンクと、発光部の配光を制御する反射枠を備えている照明器具がある。
例えば、特許文献１の照明器具は、ヒートシンクに取り付け補助部材を装着し、取り付け補助部材を介して反射枠がヒートシンクに固定される。
【先行技術文献】
【特許文献】
【０００３】
【特許文献１】特許第６１５８８８６号公報
【発明の概要】
【発明が解決しようとする課題】
【０００４】
特許文献１の照明器具は、補助部材が複数の部材から構成されているので、補助部材を組み立てる工程が必要になる。また、専用部品としての補助部材が必要になる。また、組み立ての際の部材の位置ズレにより反射枠が着脱しにくくなるおそれもある。
【０００５】
本発明は、簡易な構成で、反射枠の着脱が容易にできる照明器具の提供を目的とする。
【課題を解決するための手段】
【０００６】
この発明の照明器具は、
光源部が取り付けられたヒートシンクと、
爪部と、突起部を有する引っ掛け部とを有し、前記ヒートシンクに取り付けられたカバー部と、
前記爪部が挿し込まれた第１穴が形成された第１穴形成部と、前記引っ掛け部の前記突起部が挿し込まれた第２穴が形成されていると共に元の形状に戻ろうとする前記引っ掛け部の弾性力によって前記第２穴の周辺が前記引っ掛け部によって押圧される第２穴形成部とを有し、前記光源部から照射される光の照射角度を制御する枠部と、
を備える。
【発明の効果】
【０００７】
この発明の照明器具は、爪部と、突起部を有する引っ掛け部とを有し、ヒートシンクに取り付けられたカバー部を有するので、反射枠の着脱が容易にできる照明器具を提供できる。
【図面の簡単な説明】
【０００８】
【図１】実施の形態１の図で、照明装置の斜視図。
【図２】実施の形態１の図で、照明装置の下方向Ｚ２からみた斜視図。
【図３】実施の形態１の図で、照明装置の分解斜視図。
【図４】実施の形態１の図で、照明装置の詳細な分解斜視図。
【図５】実施の形態１の図で、ヒートシンクの斜視図。
【図６】実施の形態１の図で、ヒートシンクの平面図。
【図７】実施の形態１の図で、電線カバー部の斜視図。
【図８】実施の形態１の図で、電線カバー部が取り付けられたヒートシンクの斜視図。
【図９】実施の形態１の図で、発光部の分解斜視図。
【図１０】実施の形態１の図で、カバー部の斜視図。
【図１１】実施の形態１の図で、カバー部の別の斜視図。
【図１２】実施の形態１の図で、枠部の斜視図。
【図１３】実施の形態１の図で、電源装置の下方向Ｚ２からみた斜視図。
【図１４】実施の形態１の図で、電源装置の下方向Ｚ２からみ分解斜視図。
【図１５】実施の形態１の図で、電源装置の上方向Ｚ１からみ分解斜視図。
【図１６】実施の形態１の図で、照明装置の平面図。
【図１７】実施の形態１の図で、電源装置の距離Ｌと光源の温度との関係を示す図。
【図１８】実施の形態１の図で、枠部のカバー部への取り付けを示す組み立て図。
【図１９】実施の形態１の図で、照明装置の施工方法を示す図。
【図２０】実施の形態１の図で、背の高い照明器具を示す図。
【図２１】実施の形態１の図で、カバー部の変形例を示す図。
【図２２】実施の形態１の図で、ヒートシンクの変形例を示す斜視図。
【図２３】実施の形態１の図で、ヒートシンクの変形例の平面図。
【図２４】図２３の部分拡大図。
【図２５】実施の形態１の図で、アルミ材料の放熱性を示す図。
【発明を実施するための形態】
【０００９】
以下、本発明の実施の形態について、図を用いて説明する。なお、各図中、同一または相当する部分には、同一符号を付している。実施の形態の説明において、同一または相当する部分については、説明を適宜省略または簡略化する。
【００１０】
実施の形態１．
＊＊＊構成の説明＊＊＊
実施の形態１の照明装置１の構成を説明する。実施の形態１では、天井のような被取付部に設けられた取付穴に収容される照明器具に関して説明をおこなう。例えば、この照明器具はダウンライトである。
【００１１】
実施の形態１の特徴は、特に、カバー部２３０、ヒートシンク１００及び電源装置２０にある。
図１は、照明装置１の斜視図である。
図２は、照明装置１の下方向Ｚ２からみた斜視図である。
図３は、照明装置１の分解斜視図である。
図４は、さらに詳細な、照明装置１の分解斜視図である。
【００１２】
照明装置１は、被取付部に設けられた照明器具１０と、照明器具１０に回動できるように取り付けられる電源装置２０とを備えている。照明装置１から電源装置２０を除いた部分を照明器具１０と呼ぶ。図４に示すように、照明器具１０は、ヒートシンク１００、カバー部２３０を有する光源部２００、及び枠部３００を備えている。
【００１３】
（ヒートシンク１００）
図５は、ヒートシンク１００の斜視図である。
図６は、ヒートシンク１００の平面図である。図５、図６に示すように、ヒートシンク１００は、板状のベース部１１０と、ベース部１１０から立ち上がるフィン部１２０と、電源保持部１３０と、コード保持部１４０とを備えている。また、ヒートシンク１００は、プレス成型により形成されており、プレス成型で一体成形することができる。プレス成型は、例えば冷間鍛造である。プレス成型を用いることで、アルミ含有率の高い（例えば、９９ｗｔ％以上）材料を、ヒートシンク１００に用いることができる。
【００１４】
（ベース部１１０）
ベース部１１０は、板状体である。ベース部１１０は光源部２００が取り付けられる。ベース部１１０の一方の面は、光源部２００が取り付けられる光源取付面１１１である。光源取付面１１１の裏面である他方の面は、フィン部１２０が立ち上がるフィン配設面１１２である。
また、ヒートシンク１００は、フィン配設面１１２に、ベース部１１０の中心部分から筒状に突設する筒部１１３を有している。筒部１１３は、光源取付面１１１に取り付けられる光源部２００の背面に対向する位置に設けられている。
【００１５】
（フィン部１２０）
フィン部１２０を説明する。フィン部１２０は、フィン主部１２１、フィン分岐部１２２、端部フィン１２３を有する。図６に示すように、ヒートシンク１００は６つのフィン部１２０を有する。
実施の形態１のヒートシンク１００は６つのフィン部１２０を有するが、フィン部１２０の数は６つに限定されない。ヒートシンク１００は複数のフィン部１２０を有する。複数のフィン部１２０は、光源部２００との間にベース部１１０が位置するように配置されている。各フィン部１２０は、フィン主部１２１と複数のフィン分岐部１２２を有する。図６では３つのフィン分岐部１２２が分岐しているが、４つ以上が分岐してもよい。フィン分岐部１２２は折れ部１２５で折れ曲がっている形状である。フィン主部１２１は、ベース部１１０から立ち上がる板状をなすと共に立ち上がり方向１２０ａに沿う一方の側部１２１ａと、立ち上がり方向１２０ａに沿う他方の側部１２１ｂとを有する。各フィン分岐部１２２は、フィン主部１２１の他方の側部１２１ｂの第１の分岐箇所１２６ａから分岐し、一方の側部１２１ａから他方の側１２１ｂの方向へ向かうに従って互いに離れるように延びる。また、フィン分岐部１２２は、離れるように延びる方向の端の第２の分岐箇所１２６ｂから分岐する複数の端部フィン１２３を有する。図６では２つの端部フィン１２３が分岐しているが、３つ以上が分岐してもよい。図６では１４個のフィン分岐部１２２の端に端部フィン１２３が形成されているが、少なくとも一つのフィン分岐部１２２の端に複数の端部フィン１２３が形成されればよい。また、図６では２つの端部フィン１２３が分岐しているが、分岐する端部フィン１２３の数は３つ以上でもよい。
【００１６】
フィン部１２０は、フィン配設面１１２から略垂直方向へ立ち上がるように設けられており、フィン配設面１１２の中央部分から放射状に形成されている。フィン部１２０は、フィン配設面１１２にて、筒部１１３から外側に向かって放射状に設けられている。フィン部１２０は、フィン主部１２１に対して分岐するフィン分岐部１２２を有していることで放熱面積を増やすことができる。フィン分岐部１２２の端部は端部フィン１２３が形成されているので、端部フィン１２３のぶん放熱面積が増える。つまり、フィン分岐部１２２の外側面だけでなく端部フィン１２３の内側面１２３ａからも放熱することができるので放熱効率が増す。また、フィン部１２０は、端部フィン１２３により放熱効率を向上させることができることで、フィン配設面１１２から突出するフィン部１２０の数を低減でき、この低減の結果、放熱しやすいように隣接するフィン部１２０どうしの間を大き目に設けることができる。隣接するフィン部１２０どうしの間は、例えば５ｍｍほどである。この５ｍｍほどの隣接するフィン部１２０どうしの間は後述する図２４に示す距離Ｌ２の長さである。フィン主部１２１からフィン分岐部１２２を設けることで、ベース部１１０の中央側にて、隣接するフィン主部１２１どうしの端部の間隔をあけることができる。
【００１７】
（電源保持部１３０）
ヒートシンク１００は、光源部２００に電力を供給する電源装置２０が電源保持部１３０に取り付けられる。電源保持部１３０は、フィン配設面１１２から略垂直方向へ突設して設けられており、水平断面がＬ字形をしている。電源保持部１３０は、フィン配設面１１２の端部に対に設けられており、電源装置２０が回動可能に取り付けられる保持孔１３１が設けられている。
【００１８】
（コード保持部１４０）
コード保持部１４０は、フィン配設面１１２から略垂直方向へ突設して設けられており、水平断面がＵ字形をしている。コード保持部１４０は、対に設けられた電源保持部１３０の間に配設されており、電源装置２０と光源部２００とを接続する電線が、Ｕ字状の内側に配設される。
【００１９】
ヒートシンク１００は、プレス成型により形成されている。ヒートシンク１００は、アルミ材をＺ１側からＺ２側へプレス成型して形成されている。ヒートシンク１００をプレス成型で形成すると、フィンがプレスの負荷により倒れてしまうために、フィンを大きく形成することができない。とくに、Ｚ１側からＺ２側へ向かう方向に対して垂直方向となる水平方向へフィンを長くするのが難しく、１つのフィンをベース部１１０の中央部分から外側まで設けることが難しかった。それに対して、フィン部１２０は、フィン分岐部１２２と端部フィン１２３とから形成されていることで、フィン分岐部１２２と端部フィン１２３とが互いに補強し合い、プレスの負荷にも耐えることができる。よって、フィン部１２０は、ベース部１１０の中央部分から外側まで設けることができる。
【００２０】
また、ヒートシンク１００の電源保持部１３０には、図７、図８に示すように、電線カバー部１５０が取り付けられている。
図７は、電線カバー部１５０の斜視図である。
図８は、電線カバー部１５０が取り付けられた状態のヒートシンク１００を示す。電線カバー部１５０は、図７に示すような形状をしており、コード保持部１４０のＵ字状の開口を塞ぐように電源保持部１３０に取り付けられている。電線カバー部１５０は、電線がＵ字状の内側から電線がはずれないように取り付けられている。また、電線カバー部１５０は、上端側に電源装置２０と当接する電源制御部１５１を有している。電源制御部１５１は、電源装置２０の一部と当接して、電源装置２０の回転を制御する。電源制御部１５１は、電源装置２０とヒートシンク１００との間に間隔が保たれるように、電源装置２０の回動を制御する。
【００２１】
（光源部２００）
光源部２００は、図４に示すように、発光部２１０と、発光部２１０をヒートシンク１００の固定するソケット部２２０と、カバー部２３０を有している。
【００２２】
（発光部２１０）
図９は、発光部２１０の分解斜視図である。発光部２１０は、発光素子２１１と、発光素子２１１が実装された基板２１２とを備えている。なお、発光部２１０では、発光素子２１０が図９に示すようにＣＯＢ（チップオンボード）でもよいし、パッケージタイプのものを複数用いてもよい。
【００２３】
（ソケット部２２０）
図９に示すソケット部２２０は、電源装置２０からの電力を発光部２１０に供給する。ソケット部２２０は、発光部２１０を狭持した状態でヒートシンク１００に固定されている。ソケット部２２０は、発光素子２１１が露出するように開口したソケット前面部２２１と、発光部２１０の基板２１２の背面側を覆うソケット背面部２２２とで、発光部２１０を狭持し、かつ、図示していないが電線が接続されている。この電線を介して発光部２１０と電源装置２０とは電気的に接続する。ソケット前面部２２１とソケット背面部２２２とは、２つのクリップ２２３で固定される。なお、実施の形態１では、ソケット部２２０を用いて発光部２１０をヒートシンク１００に固定しているが、発光部２１０は特許６１５８８８６号公報に記載のように、ヒートシンクに固定するような固定方法でもよい。
【００２４】
（カバー部２３０）
図１０、図１１は、カバー部２３０の斜視図である。カバー部２３０は、樹脂材料により一体に成形されている。カバー部２３０は、後述するように、爪部２３６と突起部２３５ａを有する引っ掛け部２３５とを有し、ヒートシンク１００に取り付けられている。カバー部２３０は、略中央部分が円形状に開口（カバー開口部２３２）したカバー本体部２３１と、カバー本体部２３１のカバー開口部２３２の周縁部から立設するように形成される内壁部２３３と、カバー本体部２３１の外周部から立設するように形成される外壁部２３４とを有する。更に、カバー部２３０は、外壁部２３４は、弾性変形ができるように突設した引っ掛け部２３５と、引っ掛け部２３５とカバー開口部２３２を挟んで対向する位置に設けられる爪部２３６と、外壁部２３４より外側へ突出した枠受部２３７が形成されている。なお、引っ掛け部２３５は、特許６１５８８８６号に公報記載の第１凸部４３４と同じように、弾性変形して枠部３００に引っ掛かる構造である。カバー部２３０は、ネジのような固定部材によりヒートシンク１００のベース部１１０に取り付けられた状態で、枠部３００が着脱自在に取り付けられる。カバー部２３０は、枠部３００をヒートシンク１００に固定する接続部の機能を有する。
【００２５】
図４に示すように、カバー部２３０は、カバー開口部２３２を覆うように配光制御部２３８が配設される。配光制御部２３８は、レンズ形状をしており、発光部２１０からの光が入射されると共に、入射された光を所定方向へ出射する。なお、配光制御部２３８は、断面が後述する図１８に示すようなレンズ形状をしている。しかし、図１８に示す配光制御部２３８の形状は一例である。
所定の配光が得られるなら図１８とは異なるレンズ形状でもよく、例えば配光制御部２３８は平板形状でもよい。また、カバー部２３０の取り付け方法は、例えば、光透過性カバーのように、カバー本体部２３１に係合するような方法でも良い。
【００２６】
（枠部３００）
図１２は、枠部３００の斜視図である。枠部３００は、後述するように、爪部２３６が挿し込まれる第１穴３５０が形成された第１穴形成部３５１と、引っ掛け部２３５の突起部が挿し込まれる第２穴３６０が形成されていると共にもとの形状に戻ろうとする引っ掛け部の弾性力によって第２穴３６０の周辺が引っ掛け部２３５によって押圧される第２穴形成部３６１とを有し、光源部２００から照射される光の照射角度を制御する。
【００２７】
図１２に示すように、枠部３００は、ツバ部３１０と、立ち上がり部３２０と、傾斜部３７０（図１８の（ａ））とを備える。ツバ部３１０は、被取付部５００に形成される円形の埋込穴５０１の縁部に当接する。立ち上がり部３２０は、ツバ部３１０から略垂直方向に立ち上がる。立ち上がり部３２０には、３つの取り付けバネ４００が取り付けられる。また、立ち上がり部３２０には、第１穴３５０及び第２穴３６０が形成されている。傾斜部３７０は、ツバ部３１０の内側に斜め方向に形成され、略中央部に円形状の開口部３７１を有する。なお、枠部３００は、樹脂による一体成形品として形成されてもよい。
【００２８】
以上が、照明器具１０の主な構成である。
【００２９】
次に、電源装置２０の構成に関して図１３から図１６を用いて説明を行なう。
図１３は、電源装置２０を下方Ｚ２の側から見た斜視図である。
図１４は、電源装置２０を下方Ｚ２の側から見た分解斜視図である。
図１５は、電源装置２０を上方Ｚ１の側から見た分解斜視図である。
図１６は、照明装置１の平面図である。
【００３０】
（電源装置２０）
電源装置２０は、商用電源からの電力を変換し光源部２００を点灯させる点灯回路基板２１と、点灯回路基板２１に商用電源からの電力を供給する端子台２２と、点灯回路基板２１と端子台２２が取り付けられるケース本体部２３と、点灯回路基板２１を覆うようにケース本体部２３に取り付けられるケース蓋部２４とを有している。なお、端子台２２は、電源端子台２２ａと調光端子台２２ｂが配設されている。
【００３１】
（ケース２５、ケース本体部２３）
ケース２５は、ケース本体部２３とケース蓋部２４とを備えている。ケース本体部２３は、本体底面部２３ａ、本体側面部２３ｂ、アーム２３ｃを有している。本体底面部２３ａは、点灯回路基板２１が対向する第１板部２３ａａと、端子台２２が対向する第２板部２３ａｂとが、段差を設けるように形成されている。図１４でケース本体部２３を上側、ケース蓋部２４を下側と見た場合、第１板部２３ａａは天板である。以下では第１板部２３ａａを天板２３ａａと呼ぶ場合がある。本体側面部２３ｂは、本体底面部２３ａの側辺から突設するように設けられており、点灯回路基板２１を保持する係合部２３ｂａを有している。アーム部２３ｃは、本体底面部２３ａの端部側において端子台２２側とは反対側の端部に設けられている。アーム部２３ｃは対に設けられており、ヒートシンク１００の電源保持部１３０の保持孔１３１に回動可能に接続されている。
【００３２】
（ケース蓋部２４）
ケース蓋部２４は、蓋底面部２４ａ、蓋側面部２４ｂ、傾斜部２４ｃを有している。蓋底面部２４ａは、点灯回路基板２１を覆い、端子台２２は露出するように設けられている。蓋側面部２４ｂは、蓋底面部２４ａの側辺から本体側面部２３ｂを挟むように突設して設けられている。また、蓋側面部２４ｂは、本体側面部２４ｂと係合すると共に、端子台２２よりも突き出すような長さで形成されている。傾斜部２４ｃは、蓋底面部２４ａの端子台２２側とは反対側に形成されており、本体底面部２３ａのアーム部２３ｃに向かって斜めに形成されている。また、本体底面部２３ａと傾斜部２４ｃとの間には、点灯回路基板２１と光源部２００とを接続する電線が収容されている。この電線は、本体底面部２３ａと傾斜部２４ｃの間、ヒートシンク１００のコード保持部１４０のＵ字状の内側に収容される。
【００３３】
電源装置２０は、図１６に示す平面視において、本体底面部２３ａがヒートシンク１００のフィン配設面１１２の一部に対向するように設けられている。また、電源装置２０の回動の軸３９（図１、図１６）は、ヒートシンク１００の外径より内側に設けられている。このとき、電源装置２０は、ヒートシンク１００の放熱に影響を与えないように配置されている。
図１７は、図１６に示す平面視における筒部１１３の中心Ａから、電源装置２０の長手方向で中心Ａに最も近い端部までの距離を距離Ｌとした場合、距離Ｌを変えることによる発光部２１０のＣＯＢの温度の変化を表したグラフである。なお、数値は一例である。図１７に示すように、光源部であるＣＯＢは、電力を供給中の電源装置２０との距離Ｌに対する温度Ｔが、Ｔ＝ｆ（Ｌ）の関数ｆで表される。またＣＯＢの温度Ｔは、距離Ｌが増加するに伴って直線的に減少して、飽和状態に移行する移行範囲に移行し、この移行範囲を経て飽和状態に至る。電源装置２０は、移行範囲の中の位置Ｌでヒートシンク１００に取り付けられることが好適である。この実施の形態では距離Ｌが４０ｍｍでヒートシンク１００に電源装置２０を取り付ける。図１７に示すように、距離Ｌが４０ｍｍの場合、放熱への影響が抑制された状態で電源装置２０をヒートシンク１００に固定できることがわかる。
また、距離Ｌを４０ｍｍからさらに大きくすると、電源装置２０による温度の影響が飽和していく。
【００３４】
以上が電源装置２０の各部の構成である。次に、照明器具１０の枠部３００の取り付け工程に関して図１８を用いて説明を行う。
【００３５】
（枠部３００の取り付け工程）
図１８は、枠部３００をカバー部２３０に取り付ける取り付け工程を示す。
図１８の（ａ）は、枠部３００が、ヒートシンク１００に設けられたカバー部２３０に取り付けられる前の状態である。
図１８の（ｂ）は、カバー部２３０の爪部２３６（図１０）に、枠部３００の第１穴３５０（図１２）が引っ掛けられた状態である。
図１８の（ｃ）は、図１８の（ｂ）の状態から、爪部２３６が挿し込まれた第１穴３５０を、回転の軸として枠部３００を回動させた状態である。図１８の（ｃ）は、引っ掛け部２３５（図１０）が枠部３００の第２穴３６０（図１２）に係合している状態である。
【００３６】
枠部３００は、引っ掛け部２３５が枠部３００の回動により立ち上がり部３２０の端部が当接して押圧することで弾性変形して、第２穴３６０に係合することで、カバー部２３０に保持される。また、図１８の（ｃ）の状態において、枠部３００の回動により立ち上がり部３２０（図１２）の端部は、カバー部２３０の枠受部２３７（図１０）が載っかるようにして枠受部２３７と当接している。
つまり、カバー部２３０は、枠部３００の立ち上がり部３２０を塞ぐように枠部３００を保持している。
【００３７】
枠部３００は、カバー部２３０の爪部２３６を第１穴形成部３５１の第１穴３５０に挿し込むことで爪部２３６に第１穴形成部３５１を引っ掛けた後に、第２穴形成部３６１を引っ掛け部２３５に向かって回動可能である。
【００３８】
以上が、枠部３００をカバー部２３０へ取り付ける取付方法である。次に、照明装置１の被取付部への施工方法を説明する。
【００３９】
（照明装置１の被取付部への施工方法）
図１９は、照明装置１の被取付部への施工方法を示す。
図１９の（ａ）は、照明装置１が被取付部５００に設けられた取付孔５０１に取り付けられる前の状態である。
【００４０】
図１９の（ｂ）は、取付穴に５０１電源装置２０が挿し込まれる状態である。
電源装置２０は、端子台２０に商用電源から電力供給を受けるための電線及び信号線などの電線３１が挿し込まれた状態で取付孔５０１に挿し込まれている。作業者は、電源装置２０を、照明器具１０に対して離れるように回動させて、照明装置１を取付孔５０１に挿し込む。離れるように回動させた状態とは、例えば、照明器具１０に対して略垂直方向に突き出した状態である。このとき、作業者は、照明器具１０と電源装置２０との両方を片手で保持することができる。電源装置２０はヒートシンク１００と接続している箇所が回転の軸３９となっていることで、ヒートシンク１００とあわせて回転の軸３９を保持することができ、電源装置２０を所定の角度で取付穴に挿し込むことができる。電源装置２０は、傾斜部２４ｃと照明器具１０との間に、照明器具１０を把持できる把持空間３２（図１９の（ｂ））を形成する。作業者は、傾斜部２４ｃとヒートシンク１００との間の把持空間３２に指を介在させることで電源装置２０の角度を調整して保持できる。なお電源装置２０は、傾斜部２４ｃと照明器具１０との間に、照明器具１０を把持できる把持空間３２（図１９の（ｂ））を形成する。作業者は、片手で、照明器具１０と電源装置２０とを保持することができる。回転の軸３９がヒートシンクから離れていると、片手でヒートシンクを保持して、もう片方の手で電源装置を保持しなくてはならない。
【００４１】
図１９の（ｃ）は、照明器具１０が取付孔５０１に挿し込まれている状態であり、照明器具１０は、取り付けバネ４００が取付孔５０１の縁に引っ掛けられた状態で挿し込まれる。このとき、電源装置２０は、照明器具１０が挿し込まれて行くに従って、回動しながら挿入されていく。
【００４２】
図１９の（ｄ）は、照明器具１０が取付孔５０１に挿し込まれ、照明装置１が被取付部５００に取り付けられた状態である。照明器具１０は、枠部３００が取り付けバネ４００により取付孔５０１に固定される。光源部２００が設けられたヒートシンク１００はカバー部２３０に取り付けられている。ヒートシンク１００が取り付けられたカバー部２３０は、枠部３００に戴置するように、枠部３００に固定されている。電源装置２０では、一端がヒートシンク１００と係合し、他端が被取付部５００と当接した状態で設置される。
【００４３】
このとき、電源装置２０の他端は、蓋側面部２４ｂが端子台２２より突き出ていることで、端子台２２と被取付部５００との間に電線３１が配置される空間を設けることができる。この空間を設けることで電線３１が端子台２２と被取付部５００との間に挟まれて損傷することを防止できる。また、剛性のある電線３１を用いたときに、電線３１の弾性力（電線を曲げたことによる復元力など）により、照明器具１０および電源装置２０が押圧されて傾いてしまう事態を防止できる。
【００４４】
図１９に示すように、電源装置２０は、被取付部５００に取り付けられる照明器具１０に回動可能に取り付けられ、天板２３ａａを有するケース２５と、照明器具１０を点灯する点灯装置である点灯回路基板２１と、点灯回路基板２１に電力を供給する端子台２２と、を備えている。ケース２５は、照明器具１０が被取付部５００に取り付けられた状態の照明器具１０の水平方向５０２（図１９の（ｄ））に沿って天板２３ａａを水平にしたときに、照明器具１０に向かって倒れるように傾斜して照明器具１０に面する板状の傾斜部２４ｃを有する。また、図２、図１９の（ｄ）に示すように、端子台２２は、ケース２５が回動する際の仮想半径３３の端部３４の側に配置されている。ケース２５は、傾斜部２４ｃから端子台２２の方向へ端子台２２を超えて延びる側面をなす蓋側面部２４ｂを有する。
【００４５】
＊＊＊実施の形態１のヒートシンク１００の効果＊＊＊
（１）実施の形態１では、ヒートシンク１００は、フィン部１２０がフィン主部１２１とフィン分岐部１２２とから形成されているので、フィン単体の表面積を増加することができる。
このため、放熱性を向上できる。
（２）また、フィン単体の表面積が増えることでフィン部１２０を設置する数を低減できるので、隣接するフィン同士に空気が抜ける空間を設けることができる。
（３）また、フィン部１２０がフィン主部１２１とフィン分岐部１２２から形成されていることで、互いに補強し合うことができるため、ヒートシンク１００をプレス成型で形成できる。
プレス成型は、例えば、冷間鍛造によるものである。
冷間鍛造によりヒートシンク１００を成型することで、射出成型よりも金型費を低減できると共に、アルミ含有率の高い材料を使用できるため、放熱効率が良いヒートシンクを成型できる。
（４）また、ヒートシンク１００は光源部２００の背面側に筒部１１３が形成されていることで、筒部１１３によって光源部２００から熱を吸収できる。
（５）また、筒部１１３にはフィン部１２０が接続しているので、筒部１１３で吸収した熱を、効率よく大気に放熱できる。
【００４６】
＊＊＊実施の形態１のカバー部２３０の効果＊＊＊
（１）実施の形態１では、ヒートシンク１００が、引っ掛け部２３５と爪部２３６とを有するカバー部２３０を備えているので、カバー部２３０への枠部３００の着脱が容易である。
（２）また、枠部３００をヒートシンク１００へ接続する接続部となるカバー部２３０を用いることで、ヒートシンク１００および枠部３００を、要求される光源の出力または光源の配光に適したものに容易に変更できる。
（３）また、カバー部２３０には、引っ掛け部２３５及び爪部２３６が、一体に形成されているので、ねじのような固定具を必要とせずに、カバー部２３０だけで枠部３００を固定できため、部品点数を低減できる。
（４）また、爪部２３６が枠部３００の第１穴３５０に挿しこまれるように突設した形状であるので、枠部３００の取り付けに関して方向性が生じているため、枠部３００がカバー部２３０に誤った取り付け状態で取り付けられることを防止できる。
また、枠部３００に衝撃（例えば、施工時などに）が加わったとしても、爪部２３６が第１穴３５０に挿し込まれる突設形状であるので、爪部２３６は衝撃により弾性変形し難く、第１穴３５０にから外れ難い。
（５）また、爪部２３６が枠部３００の第１穴３５０に挿しこまれるように突設した形状であるので、バネ形状で形成する場合に比べ突設した形状では寸法管理をしなくても良く、組み立て性が向上する。カバー部２３０だけで枠部３００を保持しているので、部品組み立て時に組み立て公差があっても組み立てることができる。
また、爪部２３６をカバー部２３０と一体化したことで、組み立て工数も低減でき、部品の付け忘れも防止できる。
（６）また、カバー部２３０は、枠部３００の端部に戴置される枠受部２３７を有しているので、引っ掛け部２３５及び爪部２３６が衝撃により枠部３００との係合状態が解除されたとしても、枠受部２３７が枠部３００に戴置されていることで、ヒートシンク１００が落下することを防止できる。
（７）また、カバー部２３０および枠部３００が樹脂材で形成されていることで、熱伸縮により、きしみ音の発生や、部品の破損などを抑制できる。
【００４７】
＊＊＊実施の形態１の電源装置２０の効果＊＊＊
本実施の形態１では、電源装置２０は、点灯回路基板２１がケース（ケース本体部２３、ケース蓋部２４）に収容されていると共に、ケース２５には傾斜部２４ｃが設けられていることで、回転の軸３９をヒートシンク１００の内側に設けた状態で、電源装置２０が照明器具１０と干渉せずに回動することができる。つまり、電源装置２０を照明器具１０から離れた位置に設けなくて良いので、照明器具１を小型化することができる。
図２０は、図１９の照明器具１０に比べて枠部３００Ａの高さが高く、照明器具１０の全体の高さＨが高い仕様の照明器具である。電源装置２０は傾斜部２４ｃを有していることで照明器具１０と干渉せずに回動することができることで、図２０の照明器具のように、高さＨが高い仕様であっても、電源装置２０を使用できる。
【００４８】
＜変形例１＞
図２１は、カバー部２３０の変形例である。図２１はカバー部２３０が無線機能を備えた構成である。カバー部２３０は、表側にワイヤーアンテナ４０１が配設され、裏面に無線基板４０２を収容している。図２１のように、カバー部２３０が、ワイヤーアンテナ４０１および無線基板４０２を収容することで、枠部３００に無線通信できるように開口を設ける必要がない。よって、無線用の枠部を用意する必要がないので、枠部のバリエーションの増加を抑制できる。
【００４９】
＜変形例２＞
（ヒートシンク１００ａ）
図２２、図２３、図２４は、ヒートシンク１００の変形例であるヒートシンク１００ａを示す。
図２２は、ヒートシンク１００ａの斜視図である。
図２３は、ヒートシンク１００ａの平面図である。
図２４は、図２３の部分拡大図である。
ヒートシンク１００ａは、台座部１１０ａを有する。ヒートシンク１００ａはヒートシンク１００に対して以下の（１）（２）が異なる。
（１）ヒートシンク１００ａは台座部１１０ａを有する。
（２）ヒートシンク１００ａの端部フィン１２４の形状は、ヒートシンク１００の端部フィン１２３の形状と異なる。複数の端部フィン１２４は第２の分岐箇所１２６ｂで分岐している。端部フィン１２４は、第１端部フィン１２４ａと第２端部フィン１２４ｂとからなる。第１端部フィン１２４ａは第２端部フィン１２４ｂとの接続部である第２の折れ部１２５ｂで折れ曲っている。また、フィン分岐部１２２を同じくする第２端部フィン１２４ｂどうしは対向して配置されている。
【００５０】
ヒートシンク１００ａは、複数のフィン部１２０と、ベース部１１０を間にして光源部２００と対向する位置でベース部１１０から隆起している台座部１１０ａとを備える。図２３に示すように、各フィン部１２０は、立ち上が箇所の一部が台座部１１０ａから立ち上がり、一部の残りの部分がベース部１１０から立ち上がる。
【００５１】
フィン部１２０は、フィン主部１２１と複数のフィン分岐部１２２を有する。図２３では３つのフィン分岐部１２２が分岐しているが４つ以上が分岐してもよい。複数のフィン分岐部１２２は第１の分岐箇所１２６ａで分岐している。また２つのフィン分岐部１２２は第１の折れ部１２５ａで折れ曲がる形状である。各フィン部１２０は、フィン主部１２１は、台座部１１０ａから立ち上がる板状なすと共に立ち上がり方向１２０ａに沿う一方の側部１２１ａと、立ち上がり方向１２０ａに沿う他方の側部１２１ｂとを有する。図２３に示すように、複数のフィン分岐部１２２は、フィン主部１２１の他方の側部１２１ｂから分岐し、一方の側部１２１ａから他方の側部１２１ｂの方向へ向かうに従って互いに離れるように延びると共に、立ち上がり箇所の少なくとも一部が台座部１１０ａから立ち上がる。
【００５２】
ヒートシンク１００ａは、フィン配設面１１２から少なくとも発光部２１０と対向する箇所が円柱状に突設している台座部１１０ａを有する。台座部１１０ａにより、発光部２１０と対向する箇所が厚く形成されていることで、発光部２１０の裏面からの熱を効率的に吸収できる。つまり、筒部１１３の場合は筒部１１３の側面として起立するところが部分的に厚くなっているのに対して、台座形状の場合は、台座形状の全体が厚くなっているので、台座形状は筒状の筒部１１３よりも均一的に熱を吸収できる。また、この台座部１１０ａには平面視において、フィン部１２０のフィン主部だけでなく、フィン分岐部１２２のすくなくとも一部が設けられている。このように、フィン部１２０を設けることで台座部１１０ａとフィン部１２０が接続する箇所を増やすことができ、台座部１１０ａで吸収した熱を効率よくフィン部１２０へ伝えることでき、放熱効率を良くすることができる。
【００５３】
図２４に示すように、ヒートシンク１００ａは、中心側から外側に向かうにつれてフィン分岐部１２２が互いに離れるように設けられている。つまり、フィン分岐部１２２は斜め方向に突設するように設けられているので、図においてＬ１の長さを確保しながら、隣接するフィン部１２０との距離Ｌ２の距離を確保することができ、熱をこもり難くし、放熱性を向上させることができる。仮に、フィンフィン分岐部１２２をフィン主部に対して垂直になるように設けると、距離Ｌ１が短くなるか距離Ｌ２が短くなる。距離Ｌ１が短くなるとフィン分岐部１２２内で熱がこもり抜け難くなり、距離Ｌ２が短くなると隣接するフィン部１２０同士の間に熱がこもり抜け難くなる。
【００５４】
図２５は、ヒートシンクの成型方法の違いによる、アルミ純度と放熱性の関係性の一例を示す。図２５のように、ヒートシンクをプレス加工で成型することで、放熱性を向上することができる。
【００５５】
ヒートシンク１００ａでは、台座部１１０ａ及びベース部１１０と、複数のフィン部１２０とは、鍛造成形によって一体に形成される。ヒートシンク１００においても、ベース部１１０と複数のフィン部１２０とは、鍛造成形によって一体に形成される。また、ヒートシンク１００では、ベース部１１０とフィン部１２０とは、アルミニウムを含有する材料で一体に形成される。同様にヒートシンク１００ａでは、台座部１１０ａ及びベース部１１０と、複数のフィン部１２０とは、アルミニウムを含有する材料で一体に形成される。
【００５６】
なお、ヒートシンクの筒部１１３の形状は、円筒状でも良く、断面が多角形した筒形状でもよい。また、筒部を形成しないような形状でもよい。
【符号の説明】
【００５７】
１  照明装置、１０  照明器具、２０  電源装置、２１  点灯回路基板、２２  端子台、２２ａ  電源端子台、２２ｂ  調光端子台、２３  ケース本体部、２３ａ  本体底面部、２３ａａ  第１板部、２３ａｂ  第２板部、２３ｂ  本体側面部、２３ｃ  アーム部、２４  ケース蓋部、２４ａ  蓋底面部、２４ｂ  蓋側面部、２４ｃ  傾斜部、２５  ケース、３１  電線、３２  把持空間、３３  仮想半径、３４  端部、３９  回動の軸、１００  ヒートシンク、１００ａ  ヒートシンク、１１０ａ  台座部、１１０  ベース部、１１１  光源取付面、１１２  フィン配設面、１１３  筒部、１２０  フィン部、１２０ａ  立ち上がり方向、１２１  フィン主部、１２１ａ，１２１ｂ  側部、１２２  フィン分岐部、１２２ａ  分岐部の内側面、１２３  端部フィン、１２４  端部フィン、１２５  折れ部、１２５ａ  第１の折れ部、１２５ｂ  第２の折れ部、１２６ａ  第１の分岐箇所、１２６ｂ  第２の分岐箇所、１３０  電源保持部、１３１  保持孔、１４０  コード保持部、１５０  電線カバー部、１５１  電源制御部、２００  光源部、２１０  発光部、２１１  発光素子、２１２  基板、２２０  ソケット部、２２１  ソケット前面部、２２２  ソケット背面部、２２３  クリップ、２３０  カバー部、２３１  カバー本体部、２３２  カバー開口部、２３３  内壁部、２３４  外壁部、２３５  引っ掛け部、２３５ａ  突起部、２３６  爪部、２３７  枠受部、２３８  配光制御部、３００，３００Ａ  枠部、３１０  ツバ部、３２０  立ち上がり部、３５０  第１穴、３５１  第１穴形成部、３６０  第２穴、３６１  第２穴形成部、３７０  傾斜部、３７１  開口部、４００  取り付けバネ、４０１  ワイヤーアンテナ、４０２  無線基板、５００  被取付部、５０１  取付孔、５０２  水平方向。
【図１】
2019200871.tif 000003
【図２】
2019200871.tif 000004
【図３】
2019200871.tif 000005
【図４】
2019200871.tif 000006
【図５】
2019200871.tif 000007
【図６】
2019200871.tif 000008
【図７】
2019200871.tif 000009
【図８】
2019200871.tif 000010
【図９】
2019200871.tif 000011
【図１０】
2019200871.tif 000012
【図１１】
2019200871.tif 000013
【図１２】
2019200871.tif 000014
【図１３】
2019200871.tif 000015
【図１４】
2019200871.tif 000016
【図１５】
2019200871.tif 000017
【図１６】
2019200871.tif 000018
【図１７】
2019200871.tif 000019
【図１８】
2019200871.tif 000020
【図１９】
2019200871.tif 000021
【図２０】
2019200871.tif 000022
【図２１】
2019200871.tif 000023
【図２２】
2019200871.tif 000024
【図２３】
2019200871.tif 000025
【図２４】
2019200871.tif 000026
【図２５】
2019200871.tif 000027